(57)【特許請求の範囲】
【請求項１】
建物の上部構造体を支持し、基礎構造の外周部分を形成する外周基礎梁と、
該外周基礎梁の下方に位置し、該外周基礎梁から水平方向に突出するフーチングと、
該フーチングの下方に設けられ、建物全体を支持する杭体と
を備える建物の基礎構造であって、
前記杭体は、前記フーチングと接合されておらず、
前記フーチングは、前記外周基礎梁の水平方向外側への突出長さよりも、水平方向内側への突出長さの方が長く、
前記フーチングの上方に錘部を配置していることを特徴とする建物の基礎構造。
【請求項２】
前記杭体は、前記外周基礎梁の直下に配置されている、請求項１に記載の建物の基礎構造。
【請求項３】
前記錘部は、前記フーチングの前記外周基礎梁からの水平方向内側への突出部分の上方に配置されている、請求項１又は２に記載の建物の基礎構造。
【請求項４】
前記錘部は、コンクリートスラブを含む、請求項３に記載の建物の基礎構造。
【請求項５】
前記コンクリートスラブの両端のそれぞれの下方に前記フーチングが配置されており、少なくとも一方の前記フーチングは前記外周基礎梁の水平方向外側への突出長さよりも、水平方向内側への突出長さの方が長い、請求項４に記載の建物の基礎構造。
【請求項６】
前記錘部は、埋め戻し土を含む、請求項３乃至５のいずれか一項に記載の建物の基礎構造。
【請求項７】
前記上部構造体は、建物の外周壁を含み、前記フーチングの水平方向外側の外側端は、前記外周壁の外側面よりも内側に配置されている、請求項１乃至６のいずれか一項に記載の建物の基礎構造。
【請求項８】
前記フーチングの水平レベルは、基礎構造内において同一である、請求項１乃至７のいずれか一項に記載の建物の基礎構造。
【請求項９】
請求項１乃至８のいずれか一項に記載の建物の基礎構造を備える建物。
【請求項１０】
請求項９に記載の建物であって、ピロティ構造を有する建物。
【発明の詳細な説明】
【技術分野】
【０００１】
本発明は、建物の基礎構造、及びそれを用いた建物に関する。
【背景技術】
【０００２】
工業化住宅において、基礎梁等の布基礎と、布基礎からの荷重を支持する杭体とを接合しない工法を採用した基礎構造の実用化が進められている。例えば、特許文献１には、構造物の荷重を支持する杭が、構造物と接合されずに軟弱地盤に埋設された、杭基礎及び構造物が開示されている。このような基礎構造を採用すると、上部構造体に外力が作用しても杭頭には水平摩擦力と押し込み力のみが作用するため、杭体へ作用する水平力を大幅に低減することができ、基礎構造の軽量化、簡素化を実現できる。
【先行技術文献】
【特許文献】
【０００３】
【特許文献１】特開２０００−２９１０２２号公報
【発明の概要】
【発明が解決しようとする課題】
【０００４】
ところで、布基礎と杭体を接合しない上記の基礎構造では、杭体の負担が低減できる一方、布基礎と杭体との間に「引き抜き」に対する抗力が発生しない。従って、上部構造体に風や地震等の外力が作用すると、杭体と接合していない基礎梁等の布基礎が、杭体から浮き上がってしまう虞がある。この現象は、都市部で需要のあるいわゆるペンシルビルなどの建物の幅または奥行きに対して建物高さが高い建物で発生する可能性が高くなる。そして、このような浮き上がりが発生すると、基礎梁が片持ち梁となって鉛直力を支持しなければならず、基礎梁の強度を高める必要があった。
【０００５】
図５、及び図６を用いて基礎梁が片持ち梁となる場合について説明する。図５（ａ）において、建物にＹ０〜Ｙ２通り方向の水平力が作用した場合、その水平力の大きさ及び作用点の地盤からの高さに依存するモーメントが建物に作用する。その結果、建物のＸ１通り立面におけるＹ０通りとの交点には、図５（ｂ）に示す引き抜き力が発生するが、この引き抜き力が建物の自重による鉛直荷重を上回る場合には、図５（ｃ）に示すようにＹ０通りとの交点に浮き上がりが発生する。そして、Ｙ０通りとの交点に浮き上がりが発生すると、Ｙ０通りとＹ１通りとの間の基礎梁がＹ１通りを固定端とする片持ち梁の状態となる。このような状態では、該引き抜き力と建物の自重による該鉛直荷重の差分がＹ０通りとＹ１通りとの間の基礎梁にせん断力として作用するため、基礎梁に要求されるせん断強度及び曲げ強度を高める必要があった。図６についても、図６（ａ）において、建物にＸ０〜Ｘ２通り方向の水平力が作用した場合、建物に作用するモーメントに起因して、建物のＸ１通り立面におけるＹ０通りとの交点には、図６（ｂ）に示す引き抜き力が発生する。この引き抜き力によってＹ０通りとの交点に浮き上がりが発生すると、Ｙ０通りとＹ１通りとの間の基礎梁がＹ１通りを固定端とする片持ち梁の状態となり、該引き抜き力と建物の自重による該鉛直荷重の差分がＹ０通りとＹ１通りとの間の基礎梁にせん断力として作用する。従って、図５（ｂ）の場合と同様に基礎梁に要求されるせん断強度及び曲げ強度を高める必要があった。
【０００６】
上記の課題に対して、基礎梁のせん断強度及び曲げ強度を高めるために、基礎梁幅や基礎梁せい（基礎梁の高さ）を大きくしたり、基礎梁に入れる鉄筋を増やす等の対応がなされてきた。しかし、基礎梁幅を大きくすると、建物を敷地境界から遠ざける必要があったり、室内又はピロティの有効利用範囲が狭くなることがあった。また、基礎梁せいを大きくした場合にも同様に建物を敷地境界から遠ざける必要がある。この他、基礎梁に用いる鉄筋を増やした場合には、鉄筋間の空き寸法を確保するために基礎幅及び基礎せいが増加するという同様の課題が生まれる。
【０００７】
他方、都市部では狭小敷地も多く、建物の内部空間を広く確保するために、敷地境界へなるべく接近して建物を建設するニーズが多い。このような場合には、パイルキャップ部を必要としないという面では布基礎と杭体とを接合しない技術が有利となりうる。しかし、そのような敷地では隣接する建物も敷地境界に接近して建設されていることが多い。従って、隣接する建物の基礎を支持する地盤へ影響しないようにするには、基礎梁せいを高くするなどの基礎梁の強度を高めるための設計に制限が発生する。
【０００８】
このように、従来の基礎構造では、都市部における建物のニーズに十分に対応しづらいという問題があった。
【０００９】
本発明は、このような問題点を解決することを課題とするものであり、その目的は、杭体に対する基礎梁等の浮き上がりを抑制すると共に、隣接建物からの制限を受けにくい基礎構造、及びそれを用いた建物を提供することである。
【課題を解決するための手段】
【００１０】
本発明は、建物の上部構造体を支持し、基礎構造の外周部分を形成する外周基礎梁と、
該外周基礎梁の下方に位置し、該外周基礎梁から水平方向に突出するフーチングと、
該フーチングの下方に設けられ、建物全体を支持する杭体と
を備える建物の基礎構造であって、
前記杭体は、前記フーチングと接合されておらず、
前記フーチングは、前記外周基礎梁の水平方向外側への突出長さよりも、水平方向内側への突出長さの方が長く、
前記フーチングの上方に錘部を配置していることを特徴とする建物の基礎構造である。
【００１１】
また、前記杭体は、前記外周基礎梁の直下に配置されていることが好ましい。
【００１２】
また、前記錘部は、前記フーチングの前記外周基礎梁からの水平方向内側への突出部分の上方に配置されていることが好ましい。
【００１３】
また、前記錘部は、コンクリートスラブを含むことが好ましい。
【００１４】
また、前記コンクリートスラブの両端のそれぞれの下方に前記フーチングが配置されており、少なくとも一方の前記フーチングは前記外周基礎梁の水平方向外側への突出長さよりも、水平方向内側への突出長さの方が長いことが好ましい。
【００１５】
また、前記錘部は、埋め戻し土を含むことが好ましい。
【００１６】
また、前記上部構造体は、建物の外周壁を含み、前記フーチングの水平方向外側の外側端は、前記外周壁の外側面よりも内側に配置されていることが好ましい。
【００１７】
また、前記フーチングの水平レベルは、基礎構造内において同一であることが好ましい。
【００１８】
また、本発明は、上記いずれかに記載の建物の基礎構造を備える建物である。
【００１９】
また、上記建物は、ピロティ構造を有していることが好ましい。
【発明の効果】
【００２０】
本発明の基礎構造、及び建物によれば、杭体に対する基礎梁等の浮き上がりを抑制すると共に、隣接建物からの制限を受けにくくすることが可能となる。
【図面の簡単な説明】
【００２１】
【図１】本発明の一実施形態に係る基礎構造、及びそれを用いたピロティ構造を有する建物の構成を示す正面図である。
【図２】本発明の一実施形態に係る基礎構造の拡大図であり、（ａ）は平面図、（ｂ）は正面断面図である。
【図３】本発明の一実施形態に係る基礎構造に用いられる基礎梁及びフーチング、並びに柱部材を示す平面図である。
【図４】（ａ）は、本発明の一実施形態に係る基礎構造と隣地建物との位置関係を示す図であり、（ｂ）は、基礎梁せいを大きくした従来の基礎構造と隣地建物との位置関係を示す図である。
【図５】建物に水平力が作用したときに基礎梁が浮き上がる原理を示す図である。
【図６】建物に水平力が作用したときに基礎梁が浮き上がる原理を示す図である。
【発明を実施するための形態】
【００２２】
以下、図面を参照して、本発明をより具体的に説明する。
【００２３】
図１は、本発明の一実施形態に係る基礎構造１を用いた建物１００の構成を示す正面図である。なお、本明細書、特許請求の範囲、要約書及び図面では、後述する上部構造体２が位置する側を上方（図１における上側）とし、杭体１４が位置する側を下方（図１における下側）とする。
【００２４】
まず、建物１００の全体構成について説明する。図１に示す建物１００は、鉄骨造の軸組みを有する３階建ての工業化住宅である。
【００２５】
建物１００は、ＧＬに固定された鉄筋コンクリート造の基礎構造１と、柱部材３０や梁部材などの軸組部材で構成された軸組架構を有し、基礎構造１に固定された上部構造体２と、で構成されている。なお、軸組架構を構成する軸組部材は、規格化（標準化）されたものであり、予め工場にて製造された後に建築現場に搬入されて組み立てられる。
【００２６】
基礎構造１は、軸組架構の下方に位置し、軸組架構を支持している。具体的に、基礎構
造１は、鉄筋コンクリート造の外周基礎梁１０及びフーチング１２、並びに杭体１４を備える。また、外周基礎梁１０の上端部には、露出型固定柱脚工法により軸組架構の柱部材３０の柱脚を固定するための柱脚固定部が設けられ、アンカーボルトが外周基礎梁１０の上面から突出している。
【００２７】
上部構造体２は、複数の柱部材３０及び柱部材３０間に架設された複数の梁部材から構成される軸組架構と、この軸組架構の外周部に配置される外周壁４と、階層間を上階屋内空間と下階屋内空間とに隔てる床部材１６’と、を備えている。
【００２８】
なお、図１に示す建物１００は、１階部分が柱部材３０と床部材１６’としてのコンクリートスラブ１６とを備え、部分的に外周壁４を設けないで外部空間と連通する、ピロティ構造となっている。
【００２９】
外周壁４は、外装部材と、断熱部材と、内装部材と、を含んでいる。外装部材は、例えば、軽量気泡コンクリート（以下、「ＡＬＣ」と記載する。「ＡＬＣ」とは「autoclaved light weight concrete」の略である。）のパネルにより構成することができ、軸組架構の周囲にＡＬＣパネルを複数連接させることにより、外周壁４の外層を形成することができる。断熱部材は、例えば、フェノールフォーム、ポリスチレンフォーム、ウレタンフォーム等の発泡樹脂系の材料で形成することができる。内装部材は、例えば、石膏ボードで形成することができる。
【００３０】
図１において、建物１００の上部構造体２の左端上部に水平方向の外力Ｆｗが作用すると、上部構造体２には、外力Ｆｗと上部構造体２の高さによって決まる回転モーメントが作用する。そして、図１における左側の外周基礎梁１０及びフーチング１２には、この回転モーメントと左右の杭体１４間距離に依存する引き抜き力Ｆｐが作用する。ところが、本実施形態では、杭体１４とフーチング１２とを接合していないため、杭体１４にかかる水平力の負担を低減できる一方、フーチング１２と杭体１４との間に「引き抜き」に対する抗力が発生しない。従って、上部構造体２の自重による杭体１４への押し込み力よりも大きな引き抜き力Ｆｐが作用すると、フーチング１２が杭体１４に対して浮き上がってしまう虞がある。本実施形態では、後述するコンクリートスラブ１６、埋め戻し土１７、その他重量物２０を錘部として、フーチング１２に鉛直荷重をかけるように作用させることによって上記の浮き上がりを低減している。
【００３１】
次に、基礎構造１の構成について、図２（ａ），（ｂ）及び図３を用いて更に詳細に説明する。なお、図２（ａ）に示す平面図では、基礎構造１のうち、外周基礎梁１０、フーチング１２、及び杭体１４のみを図示している。また、図２（ｂ）に示す正面図では、床部材１６’としてのコンクリートスラブ１６及び外周壁４の外装部材１８を除く上部構造体２を省略して示している。
【００３２】
図２（ｂ）に示すように、基礎構造１は、立ち上がり部として設けられた外周基礎梁１０と、外周基礎梁１０の下方に位置し、建物１００の荷重を直接地盤に伝えるフーチング１２と、ＧＬに埋設され、フーチング１２の底面に当接して配置される杭体１４とを備える。
【００３３】
なお、基礎構造１は、上部構造体２の軸組架構からの鉛直荷重を地盤に分散して伝達する機能に加えて、後述するように、上部構造体２における外装部材１８や床部材１６’を支持する機能を有している。
【００３４】
外周基礎梁１０は、鉄筋コンクリート造であり、上部構造体２の下方に位置し、上部構造体２を支持している。また、外周基礎梁１０の下方には、外周基礎梁１０と一体で形成された、建物１００の荷重を地盤に伝える鉄筋コンクリート造のフーチング１２が設けられている。フーチング１２は、図２（ｂ）に示すように、水平方向の中心位置ＣＬ２が、外周基礎梁１０の中心位置ＣＬ１に対して水平方向内側（敷地境界ＢＬとは反対側）に偏心して配置されている。すなわち、外周基礎梁１０から水平方向外側（敷地境界ＢＬ側）へのフーチング１２の突出長さよりも、水平方向内側への突出長さの方が長くなるように構成されている。これによって、図２（ｂ）に示すように、外周基礎梁１０を敷地境界ＢＬの近傍に配置しても、フーチング１２が敷地の外側にはみ出すことがない。なお、「外周基礎梁１０から水平方向外側へのフーチング１２の突出長さよりも、水平方向内側への突出長さの方が長い」とは、必ずしもフーチング１２が外周基礎梁１０から水平方向外側に突出していることを要するものではない。フーチング１２の水平方向外側への突出は無くてもよいし（この場合、外側への突出長さはゼロとなる）、フーチング１２の水平方向外側端が外周基礎梁１０の外側面よりも内側にあってもよい（この場合、外側への突出長さはマイナスの値となる）。その一方で、フーチング１２は、外周基礎梁１０から水平方向内側へ突出することが必須の構成となっている（水平方向内側への突出長さはプラスの値のみである）。そして、フーチング１２の水平方向内側への突出部分の上方には、図２（ｂ）に示すように、例えば、埋め戻し土１７等を配置してフーチング１２に鉛直荷重をかけることによって基礎構造１の浮き上がりを低減することができる。また、埋め戻し土１７を介して更に床部材１６’を配置してもよい。床部材１６’として比重が大きい、例えばコンクリートスラブ１６を配置することが好ましい。また、コンクリートスラブ１６の上には室外機等の設備や蓄電池等の様々な重量物２０を配置してもよい。更に、コンクリートスラブ１６等はフーチング１２上に直接配置してもよい。
【００３５】
また、フーチング１２の水平方向内側への突出部分の上方にコンクリートスラブ１６を設けると共に、図１に示すように、建物１００の１階部分をピロティ構造としてもよい。コンクリートスラブ１６の一端及び他端の下方には、すなわち図１においてコンクリートスラブ１６の両端の下方には、水平方向外側よりも内側への突出長さが長いフーチング１２がそれぞれ配置されている。そして、各フーチング１２の水平方向内側への突出部分の上方には、埋め戻し土１７等を介して、又は直接、コンクリートスラブ１６が配置されることになる。これによって、コンクリートスラブ１６の重量が無駄なくフーチング１２に伝わるので、効率良く基礎構造１の浮き上がりを抑制することができる。また、１階部分に収容される自動車等の収容物を基礎構造１の浮き上がりを防止するための重量物２０として活用することができる。
【００３６】
なお、コンクリートスラブ１６の両端の下方に設けられたフーチング１２は、少なくとも一方が水平方向外側よりも内側への突出長さが長くなるように構成されていればよい。
【００３７】
フーチング１２の直下には、杭体１４が設けられている。杭体１４の上端部である杭頭は、フーチング１２の底面に対して接合されておらず、杭頭にフーチング１２を直接載せている。これによって、杭頭とフーチング１２との間には、鉛直方向の支持力と水平方向の摩擦抵抗のみが作用する。すなわち、水平方向の支持力は摩擦抵抗のみとなるので、上部構造体２に発生する水平力を杭体１４に負担させることなく、埋め戻し土１７等に負担させることができるため、杭体１４のせん断破壊を抑制でき、耐震性が向上する。
【００３８】
なお、本実施形態のように外周基礎梁１０に対してフーチング１２を偏心して配置している場合でも、杭体１４は、図２（ａ）に示すように平面視で外周基礎梁１０の直下に配置することが好ましい。杭体１４を外周基礎梁１０の直下に配置しない場合には、フーチング１２に加わる外周基礎梁１０からの鉛直方向の荷重、及び杭体１４からの支持力が基礎梁材軸周りのねじれモーメントとして作用する。そのため、基礎梁材軸周りのねじれモーメントによってせん断破壊が発生しないようなフーチング１２及び外周基礎梁１０の断面形状や強度とする必要があるからである。なお、ここでいう、「杭体１４を外周基礎梁１０の直下に配置」とは、平面視で杭体１４の全てが外周基礎梁１０と重なることを要するものではなく、杭体１４の一部が外周基礎梁１０と重なればよい。また、図２（ａ）のように杭体１４の中心軸が外周基礎梁１０の中心位置ＣＬ１と重なることが望ましい。
【００３９】
また、本実施形態における、杭体１４とフーチング１２とが接合されていない状態は、「小規模建築物基礎設計指針」（日本建築学会、２００８年）の２ページに記載されている、「小口径杭と接合しないで杭頭に布基礎やべた基礎を直接載せた基礎形式」、すなわち「直接基礎」と同義である。そして、杭体１４とフーチング１２とが接合されていない状態は、図２（ｂ）のように杭体１４上にフーチング１２が当接している場合に限定されず、例えば「小規模建築物基礎設計指針」１８１ページの図７．１．３（ｂ）に示されているように、間に砕石が介在するように構成された場合なども含むものとする。
【００４０】
また、布基礎を連続布基礎とすることが好ましい。基礎構造１が一体となって浮き上がりに抵抗できるからである。
【００４１】
本実施形態では、フーチング１２が外周基礎梁１０に対して内側に偏心して配置されているため、外側へのフーチング１２の突出長さが小さく、外周基礎梁１０を敷地境界ＢＬ近傍に配置することができる。そして、フーチング１２の水平方向内側への突出長さを大きくし、その突出部分の上方には埋め戻し土１７、コンクリートスラブ１６、その他重量物２０を配置することができるため、上部構造体２に外力が作用しても、その外力によって発生する回転モーメントを、重量物２０等の重量によって打ち消して基礎構造１の浮き上がりを抑制することができる。
【００４２】
なお、フーチング１２の外側端は、外装部材１８の外側面よりも内側に位置することが好ましい。これによって、上部構造体２を敷地境界近傍に配置しても、基礎構造１が敷地外にはみ出すことがない。
【００４３】
図３は、本実施形態に係る基礎構造１の外周基礎梁１０、中央基礎梁２２、連結基礎梁２４及び偏心させて配置したフーチング１２、並びに柱部材３０を示す平面図である。なお、図３では、フーチング１２が外周基礎梁１０から外側には突出せず、内側のみに突出するものとして記載している。外周基礎梁１０は、基礎構造１を構成する基礎梁のうち外周部分を形成するものであり、本実施形態において、偏心させたフーチング１２を配置する箇所である。中央基礎梁２２は、基礎構造１を構成する基礎梁のうち外周部分を形成するものではなく、柱部材３０の柱脚部分同士を結ぶ基礎梁である。連結基礎梁２４は、基礎梁同士を結ぶものであり、図３において中央基礎梁２２と外周基礎梁１０との間に架設されている。連結基礎梁２４は、柱部材３０の柱脚部分同士を連結するものではなく、部屋のレイアウト上、柱部材３０は配置できないが、床部材１６’の支持強度を向上させたい場合等に設けられる。図３の例では、右下の外周基礎梁１０にのみ偏心させたフーチング１２を配置し、外周基礎梁１０のその他の部分には、フーチング１２を配置していない。上部構造体２の構成上、図３の右下の外周基礎梁１０が特に浮き上がり易い場合には、図３のようなフーチング１２の構成を採用することによって、基礎構造１の浮き上がりを効果的に防止することができる。
【００４４】
なお、図３では、外周基礎梁１０の一部分においてフーチング１２を内側に偏心して配置しているが、この態様には限定されず、外周基礎梁１０の全ての部分においてフーチング１２を内側に偏心して配置してもよい。また、外周基礎梁１０の位置に応じて、フーチング１２の内側に突出する突出長さを異ならせることも可能である。また、フーチング１２を偏心させない部分については、両側に等しい長さで突出する通常のフーチングを配置してもよい。
【００４５】
なお、フーチング１２の基礎構造１内における水平レベルは、同一とするのが好ましい。基礎構造１を簡素化することができるからである。なお、基礎構造１内におけるフーチング１２の水平レベルとは、フーチング１２の鉛直方向の最下面の高さである。
【００４６】
ここで、本実施形態の偏心させたフーチング１２を採用した基礎構造１が、従来の基礎梁せいを大きくする基礎構造と比較してより敷地境界近傍に配置することができる理由について説明する。図４（ａ）は、本実施形態に係る基礎構造１と隣地建物との位置関係を示す図である。図中、θは土の性質（土の摩擦角）によって決まる安息角であり、土が崩れないで安定しているときの、斜面と水平面とのなす最大角度である。安息角θは、硬い土ほど大きくなる。本実施形態では、フーチング１２の敷地境界ＢＬ側の突出長さを変えること無く、敷地境界ＢＬとは反対側に大きく突出させ、その突出部分に錘部を配置して浮き上がりを抑制するための鉛直方向荷重を増大させている。従って、基礎構造１の浮き上がりを抑制する構造を採用しても、外周基礎梁１０の中心位置ＣＬ１と敷地境界ＢＬとの距離Ｘを変える必要がない。
【００４７】
一方、図４（ｂ）は、基礎梁せいを大きくした従来の基礎構造と隣地建物との位置関係を示す図である。基礎梁せいを大きくする場合、建物の高さが変わらないように基礎梁１０’の上端高さは変えずに下端をＧＬの下方により深く潜り込ませる。従って、隣地建物の基礎構造の底部よりも、建物の基礎構造の底部の高さがより低くなる。そのため、図４（ａ）と同じ安息角θを確保するためには、図４（ｂ）に示すように、基礎梁１０’の中心位置ＣＬ１’と敷地境界ＢＬとの距離Ｘ’を図４（ａ）の距離Ｘよりも大きくする必要がある。
【００４８】
このように本実施形態では、従来の基礎梁せいを大きくして基礎梁１０’のせん断強度及び曲げ強度を確保する場合と比較して、外周基礎梁１０をできるだけ敷地境界ＢＬの近傍に配置して敷地を有効利用することができる。
【００４９】
以上述べたように、本実施形態では、杭体１４に対してフーチング１２を接合させず、外周基礎梁１０に対してフーチング１２を敷地境界ＢＬとは反対方向の内側に偏心させた構成にしている。これによって、杭体１４に作用する水平力を低減して杭体１４に要求されるせん断強度を抑えることができる。また外周基礎梁１０を敷地境界ＢＬに隣接して設置して敷地を有効利用した場合にも、フーチング１２の外側が敷地からはみ出すことが無いため、基礎構造１の配置の自由度が向上する。更に、フーチング１２を敷地境界ＢＬとは反対側の敷地内側に突出させ、この突出部分の上部に重量物２０等の錘部を配置することにより、基礎構造１の局所的な浮き上がりを低減することができる。
【００５０】
また、本実施形態によれば、フーチング１２の内側突出部分の上方に錘部としてコンクリートスラブ１６、埋め戻し土１７、又はその両方を配置するようにしたので、基礎構造１の局所的な浮き上がりを更に効果的に低減することができる。特に、図２（ｂ）に示すようにフーチング１２の内側突出部分の上方に埋め戻し土１７を配置し、更にその上にコンクリートスラブ１６を配置した場合には、コンクリートスラブ１６と埋め戻し土１７の重量を確実にフーチング１２に伝えて基礎構造１の浮き上がりを低減することができる。
【００５１】
また、本実施形態によれば、コンクリートスラブ１６の両端の下方にフーチング１２が配置されており、少なくとも一方のフーチング１２が外周基礎梁１０の水平方向外側への突出長さよりも、水平方向内側への突出長さの方が長くなるように構成した。これによって、より効率良く基礎構造１の浮き上がりを抑制することができる。
【００５２】
また、本実施形態によれば、杭体１４を平面視で外周基礎梁１０の直下に配置したので、フーチング１２にモーメントが作用し難く、フーチング１２と外周基礎梁１０との間のせん断強度を極端に高める必要が無い。
【００５３】
また、本実施形態によれば、外周壁４の外側面よりも、フーチング１２の水平方向外側への突出部分の外側端の方が内側に配置されるように構成した。これによって、外周壁４を敷地境界ＢＬに隣接して配置して敷地を有効利用する場合にも、フーチング１２が敷地からはみ出すことがない。
【００５４】
また、本実施形態によれば、フーチング１２の水平レベルが、基礎構造１内において同一となるように構成したので、基礎構造１をより簡素化することができる。
【００５５】
また、本実施形態によれば、建物１００がピロティ構造を有するようにしたので、自動車等の収容物を重量物２０として利用して、基礎構造１の局所的な浮き上がりを更に効果的に低減することができる。
【００５６】
なお、上述したところは、本発明の実施形態を示したにすぎず、特許請求の範囲において、種々の変更を加えることができる。そして、そのような構成は本発明の範囲内であると理解すべきである。
【符号の説明】
【００５７】
１        基礎構造
２        上部構造体
４        外周壁
６        ピロティ
１０      外周基礎梁
１２      フーチング
１４      杭体
１６      コンクリートスラブ（錘部）
１６’    床部材
１７      埋め戻し土（錘部）
１８      外装部材
２０      重量物（錘部）
２２      中央基礎梁
２４      連結基礎梁
３０      柱部材
１００    建物
ＢＬ      敷地境界
ＣＬ１，ＣＬ２  中心位置
１０’    基礎梁
１２’    フーチング
ＣＬ１’  中心位置
【図１】
0006621355.tif 000002
【図２】
0006621355.tif 000003
【図３】
0006621355.tif 000004
【図４】
0006621355.tif 000005
【図５】
0006621355.tif 000006
【図６】
0006621355.tif 000007